(57)【要約】  以下を備える、ピペット・チップ供給装置：  ・補充パックであって、    ・複数の孔を有する穿孔プレートと、    ・孔に挿入されるピペット・チップと、    ・穿孔プレートの下にあるピペット・チップを覆うケースと、    ・     ピペット・チップを穿孔プレートの上で覆う、弾性材料からなる内蓋部であって、第１の蓋基部と、第１の蓋基部の縁部から下方へ突出する第１の蓋側壁部とを有する内蓋部と、    ・     第１の蓋側壁部の外側にある少なくとも１つの第１の掛止要素と、を備えた補充パックと、  ・ホルダであって、    ・     補充パックがケースとともに挿入位置まで上部挿入口を通って挿入可能な、ケース用のシートを備えた下部と、    ・     外蓋部であって、第２の蓋基部と、第２の蓋基部の縁部から下方へ突出する第２の蓋側壁部とを有する外蓋部と、    ・     外蓋部とホルダとの間の第１の関節式接続部であって、補充パックを挿入させるための挿入口を露出させる開位置まで、かつ、挿入口を覆い挿入位置にある補充パックの内蓋部を収容する閉位置まで、外蓋部を枢動させる、第１の関節式接続部と、    ・     少なくとも１つの第２の蓋側壁部から突出している少なくとも１つの支持要素であって、閉位置にある場合には、挿入位置にある補充パックの少なくとも１つの第１の蓋側壁部の下縁部の下で係合する、少なくとも１つの支持要素と、    ・     支持要素を備えた第２の蓋側壁部に対向する、第２の蓋側壁部にある少なくとも１つの第２の掛止要素であって、閉位置では、挿入位置にある補充パックの第１の掛止要素を掛止する、少なくとも１つの第２の掛止要素と、    ・     第２の掛止要素を備えた第２の蓋側壁部の外側から内側に延びる貫通チャネルを貫通するロック解除ボタンであって、ロック解除ボタンは、第２の蓋側壁部の外側にあり外側から作動可能である作動要素と、第２の蓋側壁部の内側にある押圧要素とを備え、押圧要素は、作動要素を作動させることによって、第１の蓋側壁部の外側に押圧可能であり、内蓋部の第１の掛止要素が、この第１の蓋側壁部を弾性変形させるために外蓋部にロックされ、第１および第２の掛止要素間の掛止を解除する、ロック解除ボタンと、を備えるホルダ。
2019536619.tif 000002
【特許請求の範囲】
【請求項１】
・補充パック（２）であって、
・複数の孔（１１）を有する穿孔プレート（４）と、
・前記孔（１１）に挿入されるピペット・チップ（５）と、
・     前記穿孔プレートの下にある前記ピペット・チップ（５）を覆うケース（６）と、
・     前記ピペット・チップ（５）を前記穿孔プレート（４）の上で覆う、弾性材料からなる内蓋部（７）であって、第１の蓋基部（２９）と、前記第１の蓋基部（２９）の縁部から下方へ突出する第１の蓋側壁部（３０〜３３）とを有する内蓋部（７）と、
・     第１の蓋側壁部（３０）の外側にある少なくとも１つの第１の掛止要素（４１）と、を備えた補充パック（２）と、
・ホルダ（３）であって、
・     前記補充パック（２）が前記ケース（６）とともに挿入位置まで上部挿入口（５０）を通って挿入可能な、ケース（６）用のシート（４９）を備えた下部（８）と、
・     外蓋部（９）であって、第２の蓋基部（７３）と、前記第２の蓋基部（７３）の縁部から下方へ突出する第２の蓋側壁部（７４〜７７）とを有する外蓋部（９）と、
・前記外蓋部（９）と前記ホルダ（３）との間の第１の関節式接続部（７８）であって、前記補充パック（２）を挿入させるための前記挿入口（５０）を露出させる開位置まで、かつ、前記挿入口を覆い前記挿入位置にある前記補充パック（２）の前記内蓋部（７）を収容する閉位置まで、前記外蓋部（９）を枢動させる、第１の関節式接続部（７８）と、
・     少なくとも１つの第２の蓋側壁部（７６）から突出している少なくとも１つの支持要素（９５）であって、前記閉位置にある場合には、前記挿入位置にある前記補充パック（２）の少なくとも１つの第１の蓋側壁部（３２）の下縁部の下で係合する、少なくとも１つの支持要素（９５）と、
・     前記支持要素（９５）を備えた第２の蓋側壁部（７６）に対向する、第２の蓋側壁部（７４）にある少なくとも１つの第２の掛止要素（９２）であって、前記閉位置では、挿入位置にある前記補充パック（２）の前記第１の掛止要素（４１）を掛止する、少なくとも１つの第２の掛止要素（９２）と、
・     前記第２の掛止要素（９２）を備えた前記第２の蓋側壁部（７４）の外側から内側に延びる貫通チャネル（８８）を貫通するロック解除ボタン（１０）であって、前記ロック解除ボタン（１０）は、前記第２の蓋側壁部（７４）の外側にあり外側から作動可能である作動要素（９９）と、前記第２の蓋側壁部（７４）の内側にある押圧要素（１００）とを備え、前記押圧要素（１００）は、前記作動要素（９９）を作動させることによって、前記第１の蓋側壁部（３０）の外側に押圧可能であり、前記内蓋部（７）の前記第１の掛止要素（４１）が、この第１の蓋側壁部（３０）を弾性変形させるために前記外蓋部（９）にロックされ、前記第１および第２の掛止要素（４１，９２）間の掛止を解除する、ロック解除ボタン（１０）と、を備えるホルダ（３）と、
を備える、ピペット・チップ供給装置。
【請求項２】
互いに対向する前記第１の蓋側壁部（３０、３２）がそれぞれ、少なくとも１つの第１の掛止要素（４１）を有する、請求項１に記載の装置。
【請求項３】
前記支持要素（９５）が長い第２の蓋側壁部（７６）に配置され、少なくとも１つの第２の掛止要素（９２）が、前記外蓋部（９）の対向する第２の蓋側壁部（７４）に配置されている、請求項１または２に記載の装置。
【請求項４】
前記第１掛止要素（４１）が、前記第１の蓋側壁部（３０）の外側にある第１のランプ（４２）の下端部にあるレッジであり、前記蓋基部（２９）からの距離が増大するにつれて、前記第１の蓋側壁部（３０）からの距離が増大する、請求項１から３のうちの一項に記載の装置。
【請求項５】
前記第２の掛止要素（９２）が前記第２の蓋側壁部（７４）の内側にある前記貫通チャネル（８８）の下縁部である、請求項１から４のうちの一項に記載の装置。
【請求項６】
前記第２の掛止要素（９２）が、第２のランプ（９３）の上部にある、前記第２の蓋側壁部（７４）の内側から突出する第２のレッジ（９４）であり、前記第２の蓋側壁部（７４）の下縁部からの距離が増大するにつれて、前記第２の蓋側壁部（７４）からの距離が増大する、請求項１から５のうちの一項に記載の装置。
【請求項７】
前記支持要素が、前記外蓋部（９）が揺動して閉位置になると、前記内蓋部（７）の隣接する前記第１の蓋側壁部（３２）の下縁部に掛止する第３の掛止要素（９５）である、請求項１から６のうちの一項に記載の装置。
【請求項８】
前記第３の掛止要素が（９５）が、第３のランプ（９７）の上端部にあって前記第２の蓋側壁部（７６）の内側から突出する第３のレッジ（９６）であり、前記第２の蓋側壁部（７６）の下縁部からの距離が増大するにつれて、前記第２の蓋側壁部（７６）からの距離が増大する、請求項７に記載の装置。
【請求項９】
前記ロック解除ボタン（１０）がレバーであり、このレバーは、前記外蓋部（９）に第２の関節式接続部（１０３，１０４，１０５，１０６）によって枢軸可能に取付けられ、第１のレバーアーム（９８）の外側に前記作動要素（９９）を有し、前記第１のレバーアーム（９８）の内側に前記押圧要素（１００）を有し、第２のレバーアーム（１０１）の内側に掛止用突片（１０２）を有し、この掛止用突片（１０２）は前記第２のカバーが閉位置にあるときに前記ホルダ（３）の外側にある掛止縁部（７２）と掛止する、請求項１から８のうちの一項に記載の装置。
【請求項１０】
前記作動要素（９９）を第１の作動路に沿って作動させることによって、前記掛止用突片（１０２）の前記掛止縁部（７２）への掛止が解除可能となり、前記作動要素（９９）をさらなる第２の作動路に沿って作動させることによって、前記内蓋部（７）の前記外蓋部（９）への掛止が解除可能となるように、前記ロック解除ボタン（１０）が設計されている、請求項９に記載の装置。
【請求項１１】
前記内蓋部（７）が、前記穿孔プレート（４）への掛止接続部または締着接続部を備える、請求項１から１０のうちの一項に記載の装置。
【請求項１２】
前記締着接続部が少なくとも１つの締着突起部（３８）を有し、この締着突起部（３８）は第１の蓋側壁部（３１，３３）の内側から突出している、請求項１１に記載の装置。
【請求項１３】
前記ホルダ（３）が少なくとも１つのロック解除要素を有し、このロック解除要素は、前記補充パック（２）を前記ホルダ（３）に挿入すると前記内蓋部（７）と前記穿孔プレート（４）との間の掛止接続または締着接続を解除するように設計されている、請求項１１または１２に記載の装置。
【請求項１４】
前記ロック解除要素が凸部（６７）であり、この凸部（６７）は、前記挿入口（５０）の隣りの前記下部（８）から突出し、前記補充パック（２）が挿入されて前記挿入位置になると前記締着突起部（３８）が接触する、請求項１２に記載の装置。
【請求項１５】
前記ケース（６）が、前記補充パック（２）への掛止接続部または締着接続部を有する、請求項１から１４の一項に記載の装置。
【発明の詳細な説明】
【技術分野】
【０００１】
本発明は、ピペット・チップ供給装置に関する。
【０００２】
ピペット・チップは、好ましくは０．１μＬ〜１００ｍＬの範囲内の液体試料を計量するために実験室内で使用される、プラスチック製の小さなチューブである。これらは液体用下部開口部と、空気用上部開口部とを有し、ピペット・チップの断面積は、その下部開口部から上部開口部に向かって全体的に増加している。
【０００３】
液体を計量するために、上部開口部が空気用ピペット変位装置に接合されるように、ピペット・チップの上端部がピペットに接続されている。ピペット・チップの開口部は、ピペットの肩部に締着されるか、ピペットの孔内に締着される。チャネルが肩部の表面で終端するか、それぞれ孔の底部で終端し、そのチャネルはピペット変位装置に接続される。好ましい実施形態によると、ピストン・ストロークのピペット変位装置が、その中で移動可能なピストンを備えたシリンダである。変位装置の補助で、特定量の液体がピペット・チップに注入されそこから排出されるように、空気量が移動する。一定の計量体積を備えた固定体積のピペットは、変位が一定であり、調製可能な計量体積を備えた変動式ピペットは、変位が調整可能である。直接変位式ピペットでは、ピストンが変位装置によって駆動するピペット・チップと一体化されている。
【０００４】
使用後、ピペット・チップがピペットにあるシートから除去され、その目的のために、ピペットがエジェクタを有していてもよい。エジェクタは、作動するとピペット・チップを押してそのシートから離す。ついで、ピペットを新しいピペット・チップに収容してもよい。このことによって、一度の計量による液体試料を次の計量に持ち越すことを防ぐことが可能になる。
【０００５】
ピペット・チップをピペットのシートに固定するために、ピペット・チップがピペット・チップ供給装置に設けられる。これらの装置は、穿孔プレートを有し、この穿孔プレートはまた、「トレイ」あるいは「ウェハ」とも呼ばれている。
【０００６】
さらに、これらの装置は、下部を有する。下部は、底部が閉じており頂部が開いている箱、または底部および頂部が開いている矩形のフレーム（「ラック」とも呼ばれる）として設計されている。ピペット・チップを備えた穿孔プレートは、ピペット・チップが延びて下部のホルダに入るように、下部にある挿入口の装着縁部に上から装着可能である。
【０００７】
シングルチャネル・ピペットのシートまたはマルチチャネル・ピペットのシートをピペット・チップの上端部の上または中に個々に、あるいは同時にいくつかを押圧することによって、ピペット・チップはピペット・チップ供給装置から除去可能である。
【０００８】
ピペット・チップすべてを除去したあとに底部を再使用可能であるピペット・チップ供給装置が知られている。このために、穿孔プレートを再挿入された使用済みピペット・チップと可能であればともに除去し、廃棄する。補充パックの補助で、ホルダが新しいピペット・チップを備える。補充パックは、ピペット・チップを有するいくつかの穿孔プレートを備えていてもよい。補充パックは、たとえば、ピペット・チップで充填された１つ以上の穿孔プレートを備え、その穿孔プレートが折畳み式ボックスまたは厚紙のフレーム、または簡潔なプラスチック製の箱またはプラスチック製のフレームに配置されている補充パックが知られている。
【０００９】
国際特許公開第９２／０１５１４Ａ１号、米国特許第５，３６６，０８８号、および国際特許公開第００／５１８８９９Ａ１号による補充パックでは、ピペット・チップを備えた穿孔プレートが、プラスチック製のケースの上縁部に着脱可能に装着され、ピペット・チップがケース内に延びる。さらなる穿孔プレートがピペット・チップとともにその上に配置され、そのピペット・チップは下部の穿孔プレートにあるピペット・チップ内に延び、縁部が下部の穿孔プレートに着脱可能に装着される。ピペット・チップ付きのさらなるプレートがその上に対応するように配置され、その配列は上部が蓋部で覆われる。蓋部はプラスチック製であり、最上部の穿孔プレートに着脱可能に装着されている。
【００１０】
これらの補充パックの設計では、蓋部を使用してピペット・チップ付きの穿孔プレートを補充パックからホルダに移し、ついで、開口した補充パックを保護するために、補充パックの最上部の穿孔プレートに載置可能である。
【００１１】
これらの補充パックの欠点は、ピペット・チップが少なくとも部分的に保護されておらず、穿孔プレートをホルダに移動する際に汚染される可能性があることである。
【００１２】
さらに、滅菌ピペット・チップが提供される。滅菌が重要となる分野では、使用前にピペット・チップが汚染されてはいけない（すなわち、ピペット・チップは使用前に加圧滅菌しなければならない）。フィルタのピペット・チップは概して滅菌状態で提供される、というのは、フィルタ材が加圧滅菌中にその温度に耐えられないからである。
【００１３】
滅菌ピペット・チップは頑丈な使い捨ての箱で処理するように操作されており、箱またはフレームに移動するために補充パック内では操作されない。再使用可能な箱に対して、すべてのピペット・チップが除去された後に使い捨ての箱が処分される。使い捨ての箱は設計が複雑で、それゆえに、製造費が高く、大量の包装廃棄物がユーザによって生成される。
【００１４】
欧州特許２  ５３５  １０９Ａ２は、補充パックおよびホルダを含むピペット・チップ供給装置を記載している。補充パックには複数の孔のある穿孔プレートと、その孔に挿入されるピペット・チップと、剛性が最大３００Ｎ／ｍｍである、ピペット・チップを下部で覆うケースと、ピペット・チップを上部で覆うカバーとを有する。ホルダは、補充パックを挿入するためのシートを有する。補充パックおよびホルダは、シートに挿入された補充パックを補強する補強手段を有する。ケースおよびカバーを用いて、穿孔プレートに挿入されたピペット・チップが、上部および下部で覆われ、ホルダを補充する際に汚染から保護される。ケースの剛性は低いので、ケースは材料をほとんど使用せずに簡単に製造可能である。ピペット・チップがピペットによって受ける力は、補強手段によってホルダ内で向きが変わる。ひとつの設計は、カバーおよびケースを掛止する手段を有する。さらに、ホルダはシートを備えた底部と、その中に挿入されている補充パックを覆い、底部との関節式接続部を有する蓋部とを備える。ホルダの蓋部および補充パックのカバーは、掛止手段を有する。掛止手段は、補充パックがシートに挿入されると蓋部を閉止することによって互いに掛止可能である。
【００１５】
蓋部が開口すると、カバーもまた開口する。というのは、蓋部とカバーとの間の掛止を解除する力が、カバーとケースとの間の掛止を解除する力を超えるからである。補充パックを汚染物質から保護することが促進され、ピペット・チップがホルダの蓋部と接触することから守られる。欠点は、カバーとの掛止を解除するために、新しい補充パックを挿入する前にユーザ自らの手を蓋部の内側に置かなければならないことである。このためには、比較的強い力を加えなければならない。これは、操作を難しくし、ホルダを汚染する可能性がある。
【００１６】
このようは背景に対して、本発明の目的は、補充パックの交換が簡単であり、汚染のリスクをさらに軽減するピペット・チップ供給装置を製造することである。
【００１７】
本目的は、請求項１の特徴を有する装置によって達成される。この装置の有利な実施形態は、従属請求項において特定されている。
【００１８】
本発明によるピペット・チップ供給装置は、以下を備える：
・補充パックであって、
・複数の孔を有する穿孔プレートと、
・孔に挿入されるピペット・チップと、
・穿孔プレートの下にあるピペット・チップを覆うケースと、
・ピペット・チップを穿孔プレートの上で覆う、弾性材料からなる内蓋部であって、第１の蓋基部と、第１の蓋基部の縁部から下方へ突出する第１の蓋側壁部とを有する内蓋部と、
・     第１の蓋側壁部の外側にある少なくとも１つの第１の掛止要素と、を備えた補充パックと、
・ホルダであって、
・補充パックがケースとともに挿入位置まで上部挿入口を通って挿入可能な、ケース用のシートを備えた下部と、
・     外蓋部であって、第２の蓋基部と、第２の蓋基部の縁部から下方へ突出する第２の蓋側壁部とを有する外蓋部と、
・     外蓋部とホルダとの間の第１の関節式接続部であって、補充パックを挿入させるための挿入口を露出させる開位置まで、かつ、挿入口を覆い挿入位置にある補充パックの内蓋部を収容する閉位置まで、外蓋部を枢動させる、第１の関節式接続部と、
・     少なくとも１つの第２の蓋側壁部から突出している少なくとも１つの支持要素であって、閉位置にある場合には、挿入位置にある補充パックの少なくとも１つの第１の蓋側壁部の下縁部の下で係合する、少なくとも１つの支持要素と、
・     支持要素を備えた第２の蓋側壁部に対向する、第２の蓋側壁部にある少なくとも１つの第２の掛止要素であって、閉位置では、挿入位置にある補充パックの第１の掛止要素を掛止する、少なくとも１つの第２の掛止要素と、
・     第２の掛止要素を備えた第２の蓋側壁部の外側から内側に延びる貫通チャネルを貫通するロック解除ボタンであって、ロック解除ボタンは、第２の蓋側壁部の外側にあり外側から作動可能である作動要素と、第２の蓋側壁部の内側にある押圧要素とを備え、押圧要素は、作動要素を作動させることによって、第１の蓋側壁部の外側に押圧可能であり、内蓋部の第１の掛止要素が、この第１の蓋側壁部を弾性変形させるために外蓋部にロックされ、第１および第２の掛止要素間の掛止を解除する、ロック解除ボタンと、を備えるホルダ。
【００１９】
外蓋部が揺動して開位置になると、補充パックをケースとともにホルダのシートに挿入可能となる。ケースおよび内蓋部が、ピペット・チップの汚染を防ぐ。外蓋部を閉位置まで揺動させることによって、外蓋部および内蓋部が互いに接続されるので、支持要素が第１の側壁の下縁部を支持し、第１および第２の掛止要素が互いに掛止される。したがって、外蓋部が続いて開口すると、内蓋部が持ち上げられて補充パックから離れることが可能となり、ピペット・チップがピペットを用いて除去可能となる。外蓋部を閉位置まで揺動させることによって、内蓋部が再びピペット・チップを覆う位置になる。したがって、ピペット・チップが内蓋部および外蓋部によって二度保護されて保管される。内蓋部を外蓋部から解除するためには、ロック解除ボタンを作動させるだけでよい。それによって、押圧要素が、第１の掛止要素を有する第１の蓋側壁部の外側に力を及ぼす。このことによって、第１の蓋側壁部が内側に隆起するので、第１および第２の掛止要素間の掛止が解除される。内蓋部が外蓋部から外れて、ピペット・チップを覆う位置に戻る。掛止が解除される場合に外蓋部を閉位置に配置すると、外蓋部はついで開位置まで揺動可能であり、ここでは、内蓋部がピペット・チップを覆う位置に保たれる。
【００２０】
穿孔プレートは、基礎表面がプラスチックで複数の孔がマトリックス状に配列されている、略矩形の板状の保持具である。穿孔プレートは、ほとんどの場合、８列１２行の９６個の孔を有する。ピペット・チップが上から孔に挿入され、直径は上部の方が広いため、あるいはその上端部のカラーのために、ピペット・チップはその孔を通って落下しない。
【００２１】
好ましい実施形態によると、穿孔プレートの基礎表面および９６個の孔を有する穿孔プレートの孔の配置は、生体分子スクリーニング協会（ＳＢＳ）推奨の米国国家規格協会（ＡＮＳＩ）規格によるマイクロタイタープレートの基礎表面および９６個のウェルを備えたマイクロタイタープレートのウェルの配置にほぼ対応している。したがって、この規格に適応したマルチチャネル・ピペットを用いて保持具から採取したピペット・チップ群を、この規格によるマイクロタイタープレート内のウェル群と直接位置合わせ可能である。したがって、穿孔プレートには２つの長縁部（縦辺）と、２つの短縁部（横辺）を有する。
【００２２】
好ましい実施形態によると、内蓋部および／またはケースが、横断面が従来の９６個の孔付きの穿孔プレートに適合する２つの長辺と２つの短辺とを備えた矩形の輪郭を有する。好ましい実施形態によると、外側ケースおよび／またはシートが、横断面がそれに適合する２つの長辺と２つの短辺とを備えた矩形形状を有する。
【００２３】
好ましい実施形態によると、第１の関節式接続部がシートの長辺に配置されている。好ましい実施形態によると、第１の掛止要素が長い第１の蓋側壁部に配置され、第２の掛止要素が長い第２の蓋側壁部に配置され、支持要素が対向する長い蓋側壁部に配置される。
【００２４】
好ましい実施形態によると、補充パックが２つの異なる配列でホルダに挿入可能となるように、互いに対向する２つの第１の蓋側壁部が第１の掛止要素を備えている。
【００２５】
好ましい実施形態によると、第１掛止要素が、第１の蓋部の外側にある第１のランプの下端部にあるレッジであり、蓋基部からの距離が増大するにつれて、第１の蓋側壁部からの距離が減少する。第１のランプによって、内蓋部を外蓋部に掛止しやすくなり、内蓋部がレッジによって外蓋部に堅固に保持される。押圧要素を第１のランプの外側に押圧することによって、内蓋部を外蓋部の中から外へ押圧する力もまた生成可能である。
【００２６】
別の実施形態によると、第２の掛止要素が第２の蓋側壁部の内側にある貫通チャネルの下縁部である。それによって、押圧要素を備えたロック解除ボタンが第１の掛止要素に、または第１の掛止要素の隣りに、好ましくは、第１の掛止要素の真横に、第１の蓋側壁部に対して押圧可能であり、第１の掛止要素を第２の掛止要素から外しやすくなる。
【００２７】
別の実施形態によると、第２の掛止要素が、第２のランプの上部にある、第２の蓋側壁部の内側から突出する第２のレッジであり、第２の蓋側壁部の下縁部からの距離が増大するにつれて、第２の蓋側壁部からの距離が増大する。このことによって、第２の掛止要素を第１の掛止要素に掛止しやすくなり、第２のレッジが堅固な掛止をなす。
【００２８】
別の実施形態によると、支持要素が、第２の蓋側壁部の内側から突出するリブであり、上端部に第１の蓋側壁部の下縁部を支持する第３のレッジを有する。
【００２９】
外蓋部を開位置から閉位置に揺動することによって、支持要素を第１の蓋側壁部の下縁部の下に移動することができる。好ましい実施形態によると、支持要素は第３の掛止要素である。外蓋部が揺動して閉位置になると、内蓋部の隣接する弾性の第１の蓋側壁部の外側を押圧し、第３の掛止要素の上にはね返るまでそれをわずかに内方に曲げる。代替実施形態によると、支持要素が、蓋側壁部を内方に曲げることなく第１の側壁の下縁部の下に揺動する。代わりに、第１および第２の掛止要素が掛止すると内蓋部が支持要素の上に押されて、外蓋部をめくり開けると、支持要素が隣接する第１の蓋側壁部の下縁部の下で係合するように、第１および第２の掛止要素が設計されている。
【００３０】
別の実施形態によると、第３の掛止要素が、第３のランプの上端部にある、第２の蓋側壁部の内側から突出する第３のレッジであり、第２の蓋側壁部の下縁部からの距離が増大するにつれて、第２の蓋側壁部からの距離が増大する。この実施形態によって、第３の掛止要素を隣接する第１の蓋側壁部の下縁部に掛止しやすくなる。
【００３１】
別の実施形態によると、ロック解除ボタンがレバーである。このレバーは、外蓋部に第２の関節式接続部によって枢軸可能に取付けられ、第１のレバーアームの外側に作動要素を有し、第１のレバーアームの内側に押圧要素を有し、第２のレバーアームの内側に掛止用突片を有し、この掛止用突片は第２のカバーが閉位置にあるときにホルダの外側にある掛止縁部と掛止する。掛止用突片を掛止縁部に掛止することによって、外蓋部が閉位置で保持される。この掛止は、作動要素を作動させることによって解除される。さらに、作動要素を作動させることによって、押圧要素が内蓋部に押圧され、このことによって、内蓋部と外蓋部との間の掛止を解除する。
【００３２】
一代替実施形態では、ロック解除ボタンが、貫通チャネルへ移動可能なピン状の本体である。そうすると、貫通チャネルがロック解除ボタン用のリニアガイド部を形成する。
【００３３】
好ましい実施形態によると、作動要素を第１の作動路に沿って作動させることによって、掛止用突片の掛止縁部への掛止が解除可能となり、作動要素をさらなる第２の作動路に沿って作動させることによって、内蓋部の外蓋部への掛止が解除可能となるように、ロック解除ボタンが設計される。このことによって、外蓋部を内蓋部とともに揺動して開口し、ピペット・チップを除去するために、ロック解除ボタンを短い作動路に沿って作動させることによって、ユーザが外蓋部をホルダから外すことが可能となる。さらに、補充パックを除去したり、それぞれ交換したりするために、作動要素を長い作動路に沿って作動させることによって、ユーザが外蓋部をホルダから外し、内蓋部を外蓋部から離座させることが可能となる。
【００３４】
好ましい実施形態によると、第１の関節式接続部が、外蓋部を上から内蓋部に揺動させ、内蓋部から上方に離れるように揺動させるための水平枢軸を有する。別の実施形態によると、この枢軸が第２の掛止要素を備える第２の蓋側壁部と平行に向いている。このことによって、外蓋部を揺動して閉止することによって、第１の掛止要素を第２の掛止要素に掛止しやすくなる。好ましい実施形態によると、第１の関節式接続部が第２の蓋側壁部の隣りに配置され、第１の関節式接続部は第２の掛止要素を備えた第２の蓋側壁部と対向して配置されている。このことによってまた、第１の掛止要素を第２の掛止要素に掛止しやすくなる。
【００３５】
別の実施形態によると、内蓋部が、穿孔プレートへの掛止接続部または締着接続部を備える。このことによって、内蓋部が不意に外れないように内蓋部を補充パックに固定する。
【００３６】
別の実施形態によると、ホルダが少なくとも１つのロック解除要素を有し、このロック解除要素は、補充パックをホルダに挿入すると内蓋部と穿孔プレートとの間の掛止接続または締着接続を解除するように設計されている。このことによって、装置の使用が簡潔化される。というのは、内蓋部と穿孔プレートとの間の掛止接続または締着接続が、ピペット・チップを露出するのに外蓋部を開ける場合に解除されないからである。この内蓋部と穿孔プレートとの間の掛止接続または締着接続は、補充パックをホルダに挿入する場合に解除可能である。というのは、内蓋部はその時不意に補充パックから外されることがないからである。代替として、外蓋部を開けることによって内蓋部と穿孔プレートとの間の掛止接続または締着接続が解除可能であるが、このことはそれに応じて外蓋部と内蓋部との間を強く掛止接続する必要があり、より大きな力を発揮しなければならない。
【００３７】
別の実施形態によると、ケースが、穿孔プレートへの掛止接続部または締着接続部を備える。このことによって、補充パックを搬送するときにケースが不意に外れることを防ぎ、汚染を回避する。好ましい実施形態によると、ケースが、上縁部から突出し、穿孔プレートの縁部と掛止する掛止用フックを有する。
【００３８】
ケースの実現可能な実施形態が、欧州特許公開公報第２  ５３５  １０９Ａ２号に記載されている。この点に関して、上述の開示文献を参照し、これによってその内容は本願に組み込まれるものとする。本発明はまた、別のケースを含み、特に、欧州特許公開公報第２  ５３５  １０９Ａ２号に記載されているものよりも剛性の高いケースを含む。
【００３９】
好ましい実施形態によると、穿孔プレート、および／またはケース、および／または内蓋部、および／またはホルダが、ポリプロピレン、および／またはポリエチレン、および／またはポリカーボネート、および／またはアクリロニトリル−ブタジエン−スチレン共重合体、および／またはポリスチレン、および／またはポリエチレンテレフタラート、および／または生分解性プラスチック、および／または生物由来のプラスチック、および／または、ポリアミドおよびポリエチレン、またはポリエチレンテレフタラートおよびポリエチレンからなる複合フィルムから全体的にまたは部分的になる。別の実施形態によると、ピペット・チップがポリプロピレンまたはポリエチレンからなる。
【００４０】
例示的実施形態の添付の図面を参照しつつ、本発明を以下にさらに説明する。
【図面の簡単な説明】
【００４１】
【図１】正面および側面からみた、閉止状態にある、補充パックおよびホルダを備えたピペット・チップ供給装置の斜視図である。
【図２】正面および側面からみた上記装置の斜視図である。
【図３】正面および側面からみた、穿孔プレート、ピペット・チップ、内蓋部、および閉止したケースを含む補充パックの斜視図である。
【図４】補充パックの正面図である。
【図５】補充パックの上面図である。
【図６】正面および側面からみた、穿孔プレートの斜視図である。
【図７】正面および側面からみたケースの斜視図である。
【図８】正面および側面からみ補充パックの内蓋部の斜視図である。
【図９】正面および側面からみた、下部、外蓋部、および閉止したロック解除ボタンを備えたホルダの斜視図である。
【図１０】開口したホルダの正面図である。
【図１１】正面および側面からみた外蓋部の斜視図である。
【図１２】正面および側面からみたロック解除ボタンの斜視図である。
【図１３】ロック解除ボタンの側面図である。
【図１４】補充パックおよび閉止したホルダを含む装置の上部領域の断面図である。
【図１５】図１４のロック解除ボタンを備えた拡大詳細図である。
【図１６】正面および側面からみた、内蓋部および外蓋部の切り抜かれた角部領域の斜視図である。
【図１７】部分的に開口している装置の上部領域の断面図である。
【図１８】正面および側面から対角線上にみた内蓋部の離座時における部分的に開口される装置の斜視図である。
【図１９】図１８の状態にある装置の側面図である。
【００４２】
本願では、「上部」および「下部」の名称は、水平な穿孔プレートとの装置の配列に関し、ケースが穿孔プレートのほぼ下に配置され、内蓋部が穿孔プレートのほぼ上に配置されている。さらに、挿入口が水平方向に配列され、外蓋部が閉止され下部のほぼ上に配置されている。
【００４３】
図１および図２によると、本発明によるピペット・チップ供給装置１が、補充パック２と、ホルダ３とを備え、ホルダ３に補充パック１が挿入可能である。
【００４４】
図３から図５によると、補充パック２が、穿孔プレート４と、穿孔プレート４に挿入されるピペット・チップ５と、穿孔プレートの下に配置されるケース６と、穿孔プレート４の上に配置される内蓋部７とを備える。
【００４５】
図９および図１０によると、ホルダ３が下部８と、外蓋部９と、ロック解除ボタン１０とを備える。
【００４６】
図６によると、穿孔プレート４は略矩形のプレートであり、８列１２行の合計で９６個の円形孔１１を有する。
【００４７】
穿孔プレート４は、下方へ突出する周縁エプロン１２を有する。掛止用タブ１３が、２つの長い縦辺にあるエプロン１２から下方へ突出している。掛止用タブ１３は穿孔プレート４の２つの長縁部のほぼ中央に配置されている。掛止用タブ１３はそれぞれ、第１の掛止用ビーズ１４、１５をその２つの側縁部の隣りに有する。
【００４８】
掛止用タブ１３が弾性変形するように、穿孔プレート４は弾性プラスチックから製造される。穿孔プレート４は射出成形によって好ましくは製造される。
【００４９】
図３によると、ピペット・チップ５が孔１１に挿入される。ピペット・チップは、下部通路１７と上部通路１８とを備えた筒状本体１６を有する。さらに、ピペット・チップはカラー１９を有し、これを用いてピペット・チップが上部で穿孔プレート４に当接する。
【００５０】
図７によると、ケース６は略箱形状である。例示的実施形態では、対向するケースの側壁２０，２１，２２，２３間の距離は、ケース基部２４から上部ケース開口部２５までケース６内でわずかに増加する。長いケース側壁２０，２２はそれぞれ、２組の垂直な位置調節突起部２６を上縁部に有する。位置調節突起部２６はそれぞれ、側壁２０、２２に対して外側に向かってわずかにずれるように、長い側壁２０、２２の外側に接続される。
【００５１】
短い側壁２１，２３はそれぞれ、上縁部に２つの突出する掛止用フック２７を有し、フック端部２８がケース開口部２５側に配置されている。掛止用フック２７はそれぞれ、側壁２１、２３に対して外側に向かってわずかにずれるように、短い側壁２１、２３の外側に接続される。
【００５２】
図８によると、内蓋部７がフードのように形成されており、第１の蓋基部２９から始まる相互に対向する第１の蓋側壁部３０、３１、３２、３３間の距離は内蓋部７内で第１の蓋開口部３４に向かって拡幅している。
【００５３】
内蓋部７はリブ状の支持要素３５を長い第１の蓋側壁部３０，３２の内側に有し、内蓋部自体を穿孔プレート４の上縁部に対して支持する。
【００５４】
内蓋部７は、短い縦辺に、外側へ突出する外段部３６、３７を有する。外段部３６，３７それぞれの内側には、内方へ突出する締着突起部３８を貫通部の下に有する。締着突起部３８の内側は、ランプ状に傾斜しているので、内蓋部７の下縁部からの距離が増加するにつれて、各締着突起部３８はさらに内方へ突出する。内蓋部７は、２つのフード形状のモールド３９、４０を各外段部３６，３７の領域に有する。
【００５５】
その長い第１の蓋側壁部３０，３２のそれぞれには、内蓋部７が外方へ突出する第１の掛止要素４１を外側に有する。各第１の掛止要素４１が第１のランプ４２を有し、その第１の蓋側壁部３０、３２からの距離は、蓋基部２９からの距離が増大するにつれて増大する。さらに、各掛止要素４１は第１のレッジ４３を下部に有する。
【００５６】
図３から図５によると、穿孔プレート４がケース６の上に載置されており、位置調節突起部２６がエプロン１２の内側に対接し、掛止用フック２７が穿孔プレート４の短縁部の外側をフック端部２８で把持する。ピペット・チップ５はケース６内で延長し、上端部が穿孔プレート４を超えて突出している。
【００５７】
穿孔プレート４は９６個のピペット・チップを備えているが、４つのみを例として示す。
【００５８】
内蓋部７は締着突起部３８を用いて穿孔プレート４の短縁部に締着されている。リブ状の支持要素３５および外段部３６、３７で、内蓋部７はそれ自体を穿孔プレート４の縁部に支持し、掛止用フック２７がフード形状のモールド３９，４０に係合する。
【００５９】
図９および図１０によると、ホルダ３の下部８がフレーム４４とトラフ４５とを備える。フレーム４４は、略水平の上部フレーム部４６を備える。
【００６０】
トラフ４５は上部フレーム部４６の内縁部から下方へ突出している。さらに、略水平の上部装着縁部４８を備えた支持フレーム４７が、上部フレーム部４６の内縁部から上方に突出している。支持フレーム４８おとびトラフ４５は、略立方形のシート４９を囲む。支持フレーム４７の装着縁部４６がシート４９の挿入口５０を囲む。
【００６１】
フレーム４４は筐体５１を備える。筐体５１は、上部フレーム部４６の外縁部から下方へ突出し、トラフ４５を囲む。筐体５１は４つの筐体壁部５２，５３，５４，５５を有し、互いに対向する筐体壁部５２，５３，５４，５５の距離は下方へ増大する。筐体５１は上部フレーム部４６から同じ距離か、あるいはトラフ４５よりもわずかに遠い距離で下方へ突出している。
【００６２】
トラフ４５は略立方形である。トラフは略水平で矩形のトラフ基部５６を有する。トラフ基部５６の縁部から、トラフ壁５７，５８，５９，６０が上方へ突出し、その上縁部が上部フレーム部４６の内縁部に接続されている。トラフ基部５６から始まって、互いに対向するトラフ壁５７，５８，５９，６０の距離は上方に増大する。
【００６３】
２つの長縁部に、支持フレーム４７が第１の凹部６１，６２を有し、下方へ隆起する基部を備えた各縁部の中央に位置する。第１の凹部６１，６２は、内方に突出する第２の掛止用ビーズ６３，６４（図９）を２つの垂直側縁部にそれぞれ有する。支持フレーム４７は１組の位置調節ポケット６５を第１の凹部６１、６２の両側の２つの長縁部に有し、この位置調節ポケット６５は装着縁部４８に向かって開口し、支持フレーム４７の内側に向かって開口している。
【００６４】
支持フレーム４７の短縁部に配置されているのは、上方にテーパ付けされているくさび形の凸部６６、６７であり、凸部６６、６７は上部が装着縁部４８を超えて延び、支持フレーム４７をわずかに超えて突出している。短縁部のそれぞれに、支持フレーム４７は、装着縁部４８の凸部６６，６７の両側に矩形の第２の凹部６８を有する。
【００６５】
第１の凹部６１を縁取る前面に、上部フレーム部４６が、平坦な第１の底部７０を備えた略矩形の第３の凹部６９を有する。前面から、第３の凹部６９は前部筐体壁部５２内に延びる。ここでは、第３の凹部６９は下方へ張り出す第２の底部７１を有する。第１の底部７０の前縁部に、第３の凹部６９が掛止縁部７２（図２）を有する。この掛止縁部７２は第３の凹部６９に続いて前部筐体壁部５２にわずかに突出している。
【００６６】
トラフ４５およびフレーム４４は、たとえば個別に射出成形され、たとえば掛止することによって互いに接続されるか、あるいは射出成形法によって単一部品として製造される。
【００６７】
図１１によると、外蓋部９が、第２の蓋基部７３と、第２の蓋基部７３の縁部から下方へ突出する第２の蓋側壁部７４，７５，７６，７７とを有する。
【００６８】
外蓋部９は第１の関節式接続部７８によって下部８に枢動可能に取付けられる。第１の関節式接続部７８は、外蓋部９の第１の軸受小穴８１，８２を有するタブ状の壁突出部７９、８０を備え、壁突出部７９、８０は長い第２の側壁７６の隣りにある短い第２の蓋側壁部７５，７７の下縁部から突出している。さらに、壁突出部７９、８０は第１の軸受ボルト８３、８４を備え、軸受ボルト８３、８４は後の長い筐体壁部５４に隣接する２つの短い筐体壁部５３，５５の上縁部で突出している。筐体壁部５３，５５は壁部凸部７９、８０を収容するために、第１の軸受ボルト８３、８４の周囲でわずかに平坦化されており、そのため、第１の軸受ボルト８３，８４が第１の軸受小穴８１、８２に装着されると筐体５１および外蓋部９が互いに円滑に移行する。
【００６９】
１つの長い第２の蓋側壁部７４では、外蓋部９が第４の凹部８５を外側に有し、この第４の凹部８５は、第２の蓋側壁部７４の上縁部に上部が、下縁部に下部が開口している。この例では、第４の凹部８５が台形であり、下から上に拡張している。
【００７０】
第４の凹部８５には、フレーム状の基部領域８６がある。
【００７１】
フレーム状の基部領域８６の２つの垂直縁部に、第４の凹部８５が２つの軸受小穴８７を有する。
【００７２】
さらに、第４の凹部８５の上縁部に隣接して、ほぼ矩形の断面を有する貫通チャネル８８がある。貫通チャネル８８はフレーム状の基部領域８６の外側から内側に延びる。
【００７３】
第４の凹部８５は略矩形の中央基部領域９０を矩形の切抜き部８９に有し、切抜き部８９はフレーム状の基部領域８６に包囲されている。中央基部領域９０はフレーム状の基部領域８６に下部底縁部９１のみで堅固に接続されている。中央基部領域９０は弾性変形可能である。
【００７４】
貫通チャネル８８の下に、第２のランプ９３を備えた第２の掛止要素９２が、第２の蓋側壁部７４の内側から突出し、第２の蓋側壁部７４の下縁部からの距離が増大するにつれて、第２の蓋側壁部７４からの距離が増大する。上部では、第２の掛止要素９２が第２のレッジ９４（図１５）を有する。
【００７５】
外蓋部９は、別の長い第２の蓋側壁部７６（図１１）の内側から突出する支持要素を有する。これらは、第２の蓋側壁部７６の下縁部に配置されている。これらは、第３のランプ９７の上端部にあって第２の蓋側壁部７６の内側から突出する第３のレッジ９６を備えた第３の掛止要素が９５としてそれぞれ設計されており、第２の蓋側壁部７６の下縁部からの距離が増大するにつれて、第２の蓋側壁部７６からの距離が増大する。
【００７６】
外蓋部９は、好ましくは、単一部品としてプラスチックから好ましくは射出成形される。
【００７７】
図１２および図１３によると、ロック解除ボタン１０が二腕レバーであり、第１のレバーアーム９８は外方に隆起した樽形の作動要素９９を外側に有し、突出した押圧要素１００をその上端部の内側に有する。押圧要素１００は、たとえば切歯形に設計されている。第２のレバーアーム１０１は略板形であり、下端部に内側から突出する掛止用突片１０２を有する。
【００７８】
第１および第２のレバーアーム９８，１０１の間に、２つの水平な第２の軸受ボルト１０３、１０４があり、ロック解除ボタン１０の内側に配置されている。これらは２つの平行なタブ形の軸受保持部１０５、１０６の端部から異なる方向に突出し、それらの他端部によって第２のレバーアーム１０１の内側に向かってさらに下方へ堅固に接続されている。
【００７９】
ロック解除ボタン１０は、単一部品としてプラスチックから好ましくは射出成形される。軸受保持部１０５，１０６は弾性変形可能である。
【００８０】
図９および図１０によると、ロック解除ボタン１０が第２の軸受ボルト１０３，１０４によって第２の軸受小穴８７に装着されている。作動要素９９が上部に配置され、掛止用突片１０２が下部に配置されている。
【００８１】
ロック解除ボタン１０の第１のレバーアーム９８の内部が、押圧要素１００の下で第４の凹部８５の中央基部領域９０に対接している（図１４、図１５）。押圧要素１００は貫通チャネル８８を貫通する。外蓋部９が閉止しているとき、掛止用突片１０２は掛止縁部７２と掛止している。そうすることで、中央基部領域９０が弾性に隆起し、掛止用突片１０２が掛止縁部７２と掛止するまで、ロック解除ボタン１０が外方に向きを変えることができる。
【００８２】
外側から作動要素９９を押圧すると、押圧要素１００が第２の蓋側壁部７４の内側からさらに延びる。そうすることで、中央基部領域９０が内方に弾性に向きを変えるので、作動要素９９を解除したあとロック解除ボタン１０を再度着座させて定位置に戻す。
【００８３】
この装置は以下のように使用可能である。
【００８４】
ロック解除ボタン１０の作動要素９９を押圧することによって、図１による閉止した装置の掛止用突片１０２および掛止縁部９７２の掛止を解除することができるので、外蓋部９が揺動して開口し、図２および図１０に示すような開位置になることが可能である。
【００８５】
図３から図５に示す補充パック２を、穿孔プレート４の下縁部が装着縁部４８に着座するまで、前方のケース６を備えた挿入口５０を通ってシート４９に挿入する。ついで、挿入位置に到着する。ついで、掛止用タブ１３が第１の凹部６１、６２に係合し、第１の掛止用ビーズ１４，１５が第２の掛止用ビーズ６３，６４に掛止し、位置調節突起部２６が位置調整タブ６５に係合し、掛止用フック２７が第２の凹部６８に係合する。さらに、補充パック２に挿入すると、くさび形の凸部６６、６７が下から締着突起部３８を押圧し、内蓋部７を穿孔プレート４から解除する。
【００８６】
外蓋部９が閉止して閉位置になると第１および第２の掛止要素４１、９２が互いに掛止し、第３の掛止要素９５が第１の蓋側壁部３２の下縁部に掛止する。さらに、掛止用突片１０２が掛止縁部７２に掛止する。この状況にあるこの装置を図１および図１４に示す。
【００８７】
作動要素９９を短い距離だけ押圧することによって、ピペット・チップ５を除去するために、外蓋部９の掛止を外すことができ、掛止された内蓋部７とともに上方に揺動可能である。開口中の装置を図１７に示す。図２では、装置は完全に開口しており、外蓋部９は挿入位置にある。挿入位置では、外蓋部９が完全に開口しており、壁の凸部７９、８０はその後縁部によって、短い筐体壁部５３．５５の第１の軸受ボルト８３、８４の周囲の平坦領域の下縁部に対接する。
【００８８】
ピペット・チップ５を除去したあと、外蓋部９を再度閉止可能である。
【００８９】
補充パック２を交換するために、第１の掛止要素４１によって押圧要素１００が外側から第１の蓋側壁部３０を押圧するように、作動要素９９をより深く押圧する。このことによって、第１の蓋側壁部３０が内方に曲り、第１の掛止要素４１が第２の掛止要素９２から解放される。内蓋部７は、図１７、図１８、および図１９に示すように落下する。
【００９０】
ユーザは内蓋部７を穿孔プレート４に堅固に締着させるために、内蓋部７を上から押圧可能である。ついで、ユーザは掛止用突片１３を内側に押圧することによって掛止用突片１３の掛止を外し、補充パック２を除去することができる。
【００９１】
ついで、新しい補充パック２を挿入するために、ホルダ３を準備する。
【符号の説明】
【００９２】
１  装置
２  補充パック
３  ホルダ
４  穿孔プレート
５  ピペット・チップ
６  ケース
７  内蓋部
８  下部
９  外蓋部
１０  ロック解除ボタン
１１  孔
１２  エプロン
１３  掛止用タブ
１４，１５  第１の掛止用ビーズ
１６  本体
１７  下部通路
１８  上部通路
１９  カラー
２０，  ２１，  ２２，  ２３  ケース側壁
２４  ケース底部
２５  ケース開口部
２６  位置調節突起部
２７  掛止用フック
２８  フック端部
２９  第１の蓋基部
３０，  ３１，  ３２，  ３３  第１の蓋側壁部
３４  蓋開口部
３５  支持要素
３６，３７  外段部
３８  締着突起部
３９，４０  フード形モールド
４１  第１の掛止要素
４２  第１のランプ
４３  第１のレッジ
４４  フレーム
４５  トラフ
４６  上部フレーム部
４７  支持フレーム
４８  装着縁部
４９  シート
５０  挿入口
５１  筐体
５２，  ５３，  ５４，  ５５  筐体壁部
５６  トラフ基部
５７，  ５８，  ５９，  ６０  トラフ壁部
６１，６２  第１の凹部
６３，６４  第２の掛止用ビーズ
６５  位置調節ポケット
６６，６７  くさび形凸部
６８  第２の凹部
６９  第３の凹部
７０  第１の底部
７１  第２の底部
７２  掛止縁部
７３  第２の蓋基部
７４，  ７５，  ７６，  ７７  第２の蓋側壁部
７８  第１の関節式接続部  
７９，８０  タブ形の壁凸部
８１，８２  軸受小穴
８３，８４  軸受ボルト
８５  第４の凹部
８６  フレーム形の基部領域
８７  第２の軸受小穴
８８  貫通チャネル
８９  切抜き部
９０  中央基部領域
９１  下部底縁部
９２  第２の掛止要素
９３  第２のランプ
９４  第２のレッジ
９５  第３の掛止要素（支持要素）
９６  第３のレッジ
９７  第３のランプ
９８  第１のレバーアーム
９９  作動要素
１００  押圧要素
１０１  第２のレバーアーム
１０２  掛止用突片
１０３，１０４  第２の軸受ボルト
１０５，１０６  軸受保持部
【図１】
2019536619.tif 000003
【図２】
2019536619.tif 000004
【図３】
2019536619.tif 000005
【図４】
2019536619.tif 000006
【図５】
2019536619.tif 000007
【図６】
2019536619.tif 000008
【図７】
2019536619.tif 000009
【図８】
2019536619.tif 000010
【図９】
2019536619.tif 000011
【図１０】
2019536619.tif 000012
【図１１】
2019536619.tif 000013
【図１２】
2019536619.tif 000014
【図１３】
2019536619.tif 000015
【図１４】
2019536619.tif 000016
【図１５】
2019536619.tif 000017
【図１６】
2019536619.tif 000018
【図１７】
2019536619.tif 000019
【図１８】
2019536619.tif 000020
【図１９】
2019536619.tif 000021
【国際調査報告】
2019536619.tif 000022
2019536619.tif 000023
2019536619.tif 000024
2019536619.tif 000025